(57)【要約】【課題】特別な冶具や設備を必要とすることなく、グロメットの小径筒部に挿通される電線が相互に重なり合って隙間が形成される不具合を、簡単な構造で有利に達成することができる、新規のグロメットの止水構造を提供すること。【解決手段】ワイヤハーネス１２が挿通されるグロメット１０の止水構造であって、相互に離隔して平行に延びる複数の電線収容溝１８が並設された電線保持部材１６を有し、電線保持部材１６の複数の電線収容溝１８に対して、ワイヤハーネス１２を構成する複数の電線２４がそれぞれ収容保持されている一方、電線保持部材１６を表裏両側から可撓性シート２６で挟み込み、ロール状に巻き込むことで電線束２８を構成し、電線束２８の外周面３０に対してグロメット１０の小径筒部１４を圧着するようにした。【選択図】図３
2014204649.tif 000002
【特許請求の範囲】
【請求項１】
ワイヤハーネスが挿通されるグロメットの止水構造であって、
相互に離隔して平行に延びる複数の電線収容溝が並設された電線保持部材を有し、
前記電線保持部材の複数の前記電線収容溝に対して、前記ワイヤハーネスを構成する複数の電線がそれぞれ収容保持されている一方、
前記電線保持部材を表裏両側から可撓性シートで挟み込み、ロール状に巻き込むことで電線束を構成し、
前記電線束の外周面に対して前記グロメットの小径筒部を圧着した
ことを特徴とするグロメットの止水構造。
【請求項２】
前記電線保持部材の各前記電線収容溝が、溝幅寸法が底部側から開口部側に向かって次第に広がる樋形状を有しており、
隣接する前記電線収容溝が前記開口部側で相互に連接されている一方、
前記底部側が外側になるように前記ロール状に巻き込まれている請求項１に記載のグロメットの止水構造。
【発明の詳細な説明】
【技術分野】
【０００１】
本発明は、車両等の隔壁に穿設した挿通穴にワイヤハーネスを挿通組付する際に使用されるグロメットの止水構造に関するものである。
【背景技術】
【０００２】
従来から、車体パネル等の隔壁を貫通してワイヤハーネスを配索する場合には、隔壁に設けた貫通穴にゴム製のグロメットを装着し、このグロメット内にワイヤハーネスを挿通することにより防水や防音の対策を図っている。すなわち、グロメットの一端側には隔壁に設けた貫通穴の周縁部に嵌合する大径筒部が設けられ、グロメットの他端側には挿通されるワイヤハーネスの電線束の外周面に装着される小径筒部が設けられていることから、貫通穴を通じた水や騒音等の流入がグロメットにより阻止されるのである。
【０００３】
ところで、このようなグロメットを用いた場合でも、ワイヤハーネスの電線束が挿通される小径筒部から、雨水等が浸入する場合がある。そこで、電線束の外周面に装着された小径筒部の端部を、ビニールテープ等によりテープ巻きすることで、電線束の外周面と小径筒部の内周面の間の隙間を塞いで、止水性の向上を図ることが行われている。
【０００４】
ところが、電線束を構成する各電線は、略円形の断面形状を有している場合が多く、隣接する電線間にワイヤハーネスの延出方向に延びる隙間が生じ易く、かかる隙間を通じて浸水するおそれがあった。そこで、例えば実開平３−１１２９８４号公報（特許文献１）の図２に記載されているように、クッション材の片面上に、所定間隔を隔てて電線を配置し、クッション材をロール状に巻いて、グロメットの小径筒部に圧入装着して小径筒部端部をテープ巻きした後、クッション材の隙間にシール剤を充填することにより、止水性を高めるグロメットの止水構造が提案されている。
【０００５】
しかしながら、上記構成では、クッション材をロール状に巻く際に、電線同士が相互に近づいて重なり合いそれらの間に隙間が発生するおそれがあった。それ故、クッション材の隙間にシール剤を充填することが必要となり、止水性を確保するための構造や工程が複雑であるという問題があった。
【０００６】
これに対して、例えば特開２０００−１６５０６１号公報（特許文献２）の図５に記載されているように、まず、グロメットを挿通させる電線群を配置冶具を用いて所要間隔をあけて平行配線し、これら電線群の上下両側より独立気泡を有する発泡シートを圧接冶具を用いて押圧して、電線群を挟持すると共に電線間の隙間は上下発泡シートを圧接し、ついで、上記電線群を挟持した発泡シートをロール状に巻く或いは折り畳み、この状態でグロメットの小径筒部に挿通して小径筒部内に密嵌するグロメットの止水構造が提案されている。
【０００７】
しかしながら、上記構成では、クッション材の隙間にシール剤を充填することは不要となるものの、配置冶具や圧接冶具といった冶具や、圧接のための設備が必要とされることから、コストの増加や対応に時間が掛かるという問題があって望ましい対策とは言い難かった。
【先行技術文献】
【特許文献】
【０００８】
【特許文献１】実開平３−１１２９８４号公報
【特許文献２】特開２０００−１６５０６１号公報
【発明の概要】
【発明が解決しようとする課題】
【０００９】
本発明は、上述の事情を背景に為されたものであって、その解決課題は、特別な冶具や設備を必要とすることなく、グロメットの小径筒部に挿通される電線が相互に重なり合って隙間が形成される不具合を、簡単な構造で有利に達成することができる、新規のグロメットの止水構造を提供することにある。
【課題を解決するための手段】
【００１０】
以下、前述の如き課題を解決するために為された本発明の態様を記載する。なお、以下に記載の各態様において採用される構成要素は、可能な限り任意の組み合わせで採用可能である。
【００１１】
本発明の第一の態様は、ワイヤハーネスが挿通されるグロメットの止水構造であって、相互に離隔して平行に延びる複数の電線収容溝が並設された電線保持部材を有し、前記電線保持部材の複数の前記電線収容溝に対して、前記ワイヤハーネスを構成する複数の電線がそれぞれ収容保持されている一方、前記電線保持部材を表裏両側から可撓性シートで挟み込み、ロール状に巻き込むことで電線束を構成し、前記電線束の外周面に対して前記グロメットの小径筒部を圧着したことを特徴とする。
【００１２】
本態様によれば、電線保持部材により、複数の電線が相互に離隔した状態で保持できることから、電線保持部材の上下を可撓性シートで挟み込んでロール状に巻き込む際に、従来の如き電線同士が重なり合って長手状の隙間ができてしまうことを有利に防止することができる。
【００１３】
しかも、電線保持部材の上下を可撓性シートで挟み込んでロール状に巻き込むことで構成された電線束を、小径筒部の内径よりも大きくすることで、電線束に対してグロメットの小径筒部を圧着させる。これにより、電線保持部材や電線に対して可撓性シートを密着させ、それらの間に隙間が形成されることを一層確実に防止できるのである。
【００１４】
加えて、本発明の止水構造は、電線保持部材の電線収容溝に電線を収容した後、表裏両面から可撓性シートで挟み込んでロール状に巻き上げて電線束を構成し、かかる電線束をグロメットの小径筒部に圧着するだけの簡単な作業で構成できる。従って、特別な設備や冶具も不要でありコストの低減が図れる。さらに、電線保持部材やシート状の可塑性物質等の部品さえあれば、どのような場所でも作業が可能であることから、一層コスト低減が可能であり、また迅速に対応することが可能となるのである。
【００１５】
なお、可撓性シートとしては、例えば、塩化ビニル等からなる防水シート上にブチルゴム系の粘着剤が塗布されたブチルパッドや、発泡性のウレタン樹脂又はポリウレタン樹脂からなるシート状の発泡シート等が採用可能であるが、その他、電線や電線保持部材間の隙間を充填し得るものであれば何れでもよい。
【００１６】
本発明の第二の態様は、前記第一の態様に記載のものにおいて、前記電線保持部材の各前記電線収容溝が、溝幅寸法が底部側から開口部側に向かって次第に広がる樋形状を有しており、隣接する前記電線収容溝が前記開口部側で相互に連接されている一方、前記底部側が外側になるように前記ロール状に巻き込まれているものである。
【００１７】
本態様によれば、電線保持部材は、電線収容溝が、溝幅寸法が底部側から開口部側に向かって次第に広がる樋形状とされていることから、各電線を電線収容溝に嵌め込む作業が容易に行い得る。しかも、隣接する電線収容溝は、開口部側で相互に連接されており、底部側が外側になるようにロール状に巻き込まれていることから、ロール状に巻き込む際に、電線収容溝の底部側が相互に離隔するように変形させることができ、ロール巻の作業を容易に行い得るようになっている。
【発明の効果】
【００１８】
本発明においては、電線保持部材により、複数の電線が相互に離隔した状態で保持できることから、電線保持部材の上下を可撓性シートで挟み込んでロール状に巻き込む際に、従来の如き電線同士が重なり合って長手状の隙間ができてしまうことを有利に防止できる。しかも、ロール状に巻き込むことで構成された電線束を、小径筒部の内径よりも大きくすることにより、電線保持部材や電線に対して可撓性シートを密着させ、隙間の形成を一層確実に防止できる。加えて、本発明の止水構造は、簡単な作業で構成できることから、特別な設備や冶具も不要でありコストの低減が図れる。
【図面の簡単な説明】
【００１９】
【図１】本発明の一実施形態としての電線保持部材の斜視図。
【図２】図１のＩＩ−ＩＩ断面図。
【図３】図２に示す電線保持部材に複数の電線を保持し、上下を可撓性シートで挟み込んた状態を示す断面図。
【図４】図１に示す電線保持部材を用いて構成された電線束を有するワイヤハーネスを、グロメットに装着する方法について説明する斜視図（装着前）。
【図５】図１に示す電線保持部材を用いて構成された電線束を有するワイヤハーネスを、グロメットに装着する方法について説明する斜視図（装着後）。
【図６】図５のＶＩ−ＶＩ断面図。
【図７】図５のＶＩＩ−ＶＩＩ断面拡大図。
【発明を実施するための形態】
【００２０】
以下、本発明の実施形態について、図面を参照しつつ説明する。
【００２１】
図１〜７には、本発明の一実施形態に従うグロメット１０の止水構造を用いて、ワイヤハーネス１２（図４〜６参照）が挿通されるグロメット１０の小径筒部１４を止水する構造が示されている。
【００２２】
先ず、図１〜２には、本実施形態としてのグロメット１０の止水構造に用いられる電線保持部材１６が、示されている。電線保持部材１６は、相互に離隔して平行に延びる複数の電線収容溝１８が並設された構造とされている。電線保持部材１６の各電線収容溝１８は、溝幅寸法が底部２０側から開口部２２側に向かって次第に広がる樋形状を有している一方、隣接する電線収容溝１８が開口部２２側で相互に連接されるようになっている。電線保持部材１６は、ＥＰＤＭ（エチレンプロピレンゴム）、ＣＲ（クロロプレンゴム）、ＳＩ（シリコンゴム）等のゴム材料からなる一体成形部材であり、長手状に連続したベルト状部材として有利に形成することができる。そして、かかるベルト状部材を任意の長さにカット（本実施形態では５つの電線収容溝１８を含むようにカット）して用いることができる。なお、グロメット１０についても、電線保持部材１６と同様のゴム材料により一体成形で形成されている。
【００２３】
このようにして形成された電線保持部材１６を用いて、グロメット１０の小径筒部１４を止水する方法について、図３〜７を用いて、説明する。先ず、図３に示されているように、電線保持部材１６の複数の電線収容溝１８に対して、ワイヤハーネス１２を構成する複数の電線２４をそれぞれ収容保持する。次に、電線保持部材１６を表裏両側から可撓性シート２６でコの字状に挟み込み、矢印（図３参照）の方向に、底部２０側が外側になるようにロール状に巻き込むことにより、電線束２８（図４〜７参照）を構成する。この際、電線束２８の外径寸法が、グロメット１０の小径筒部１４の内径寸法よりもやや大きくなるように形成する。なお、可撓性シート２６としては、例えば、塩化ビニル等からなる防水シート上に、ブチルゴム系の粘着剤が塗布されたブチルパッドや、発泡性のウレタン樹脂又はポリウレタン樹脂からなるシート状の発泡シート等が採用可能であるが、その他、電線２４や電線保持部材１６間の隙間を充填し得る可撓性のシート材であれば何れでもよい。
【００２４】
以上に述べた方法により、図４に示されているように、ワイヤハーネス１２の所定の位置に、電線束２８を構成する。そして、このようにして準備されたワイヤハーネス１２を、グロメット１０の小径筒部１４側から挿し入れ、図５に示されているように、ワイヤハーネス１２の電線束２８をグロメット１０の小径筒部１４に来るように配設する。ここで、ワイヤハーネス１２の電線束２８の外径寸法は、グロメット１０の小径筒部１４の内径寸法よりもやや大きくなるように形成されていることから、図５〜７に示すように、挿通後にワイヤハーネス１２の電線束２８の外周面３０に対してグロメット１０の小径筒部１４の内面３２に有利に圧着させることができるようになっている。
【００２５】
加えて、図６に仮想線で示されているように、グロメット１０の小径筒部１４と小径筒部１４から突出するワイヤハーネス１２に跨るように、結束テープ３４を巻回して両者を固定するようになっている。また、図６に示すように、グロメット１０は、グロメット１０の大径筒部３６の外周面の周方向に形成された環状溝部３８に対して、図示しない車体パネル等に形成された円環状の突起４０が嵌合されて、車体パネル等に固定されるようになっている。
【００２６】
上述の如き本実施形態のグロメット１０の止水構造によれば、電線保持部材１６の各電線収容溝１８に、ワイヤハーネス１２を構成する複数の電線２４を相互に離隔した状態で収容保持できるようになっていることから、電線保持部材１６の表裏両側を可撓性シート２６で挟み込んでロール状に巻き込む際に、従来の如き電線束を構成する電線同士が密着することがなくなる。それ故、電線同士の密着により長手状の隙間ができてしまうことを有利に防止することができる。しかも、電線収容溝１８は、溝幅寸法が底部２０側から開口部２２側に向かって次第に広がる樋形状とされていることから、各電線２４を電線収容溝１８に嵌め込む作業を容易に行うことができるのである。
【００２７】
また、電線保持部材１６を表裏両側から可撓性シート２６で挟み込んでロール状に巻き込むことで構成された電線束２８の外径が、小径筒部１４の内径よりも大きくされていることにより、電線束２８に対してグロメット１０の小径筒部１４を圧着させることができる。それ故、図７に示されているように、電線保持部材１６や電線２４に対して可撓性シート２６を密着させることができると共に電線保持部材１６に対して電線２４を押付けることができるので、それらの間に隙間が形成されることを一層確実に防止できるのである。
【００２８】
しかも、隣接する電線収容溝１８は、開口部２２側で相互に連接されていると共に、底部２０側が外側になるようにロール状に巻き込まれていることから、図７に示されているように、ロール状に巻き込む際に、電線収容溝１８の底部２０側が相互に離隔するように変形させることができる。これにより、ロール巻の作業を容易に行うことができる。しかも、この結果として電線収容溝１８の溝の深さが浅くなることから、電線保持部材１６を表裏両側から可撓性シート２６で隙間なく挟み込みことを容易に実現することが可能となる。
【００２９】
以上の結果、グロメット１０の小径筒部１４に配設されたワイヤハーネス１２の電線束２８から、有利に隙間を無くすることができるようになっているのである。
【００３０】
加えて、本発明の止水構造は、電線保持部材１６の電線収容溝１８に電線２４を収容した後、表裏両面から可撓性シート２６で挟み込みでロール状に巻き上げて電線束２８を構成し、かかる電線束２８をグロメット１０の小径筒部１４に圧着するだけの簡単な作業で構成できる。従って、特別な設備や冶具も不要でありコストの低減が図れる。さらに、電線保持部材１６や可撓性シート２６等の部品さえあれば、どのような場所でも作業が可能であることから、一層コスト低減が可能であり、また迅速に対応することが可能となるのである。
【００３１】
以上、本発明の実施形態について詳述したが、これはあくまでも例示であって、本発明は、かかる実施形態における具体的な記載によって、何等、限定的に解釈されるものではない。
【００３２】
例えば、本実施形態では、電線保持部材１６は、ＥＰＤＭ（エチレンプロピレンゴム）、ＣＲ（クロロプレンゴム）、ＳＩ（シリコンゴム）等のゴム材料からなる一体成形部材としたが、発泡性のウレタン樹脂又はポリウレタン樹脂等の可撓性材料から構成されていてもよい。これにより、より一層電線２４間を可撓性材料で充填でき、隙間ができることを一層有利に防止することができる。
【００３３】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【符号の説明】
【００３４】
１０：グロメット、１２：ワイヤハーネス、１４：小径筒部、１６：電線保持部材、１８：電線収容溝、２０：底部、２２：開口部、２４：電線、２６：可撓性シート、２８：電線束、３０：外周面
【図１】
2014204649.tif 000003
【図２】
2014204649.tif 000004
【図３】
2014204649.tif 000005
【図４】
2014204649.tif 000006
【図５】
2014204649.tif 000007
【図６】
2014204649.tif 000008
【図７】
2014204649.tif 000009